(57)【要約】【課題】複数の消防組織の空気ボンベが集まるような状況でも、その空気ボンベが所属する消防組織を正確に知ることができ、かつ、その所属する消防組織を判断する判断材料が恒久的なものであり、該空気ボンベ自体の耐用年数レベル以内は、優にその判断材料を維持することができる消防隊等用空気呼吸器用ボンベを提供すること。【解決手段】空気呼吸器用ボンベの本体表面上に、所属消防組織を表示しかつ他の容器ラベルと独立した標識が貼付され、該空気呼吸器用ボンベの本体、該標識および他の容器ラベルの全体が透明樹脂の層により覆われてなることを特徴とする消防隊等用空気呼吸器用ボンベ。【選択図】図１
2014076197.tif 000002
【特許請求の範囲】
【請求項１】
空気呼吸器用ボンベの本体表面上に、所属消防組織を表示しかつ他の容器ラベルと独立した標識が貼付され、前記空気呼吸器用ボンベの本体、前記標識および他の容器ラベルの全体が透明樹脂の層により覆われてなることを特徴とする消防隊等用空気呼吸器用ボンベ。
【請求項２】
前記透明樹脂がエポキシ樹脂であることを特徴とする請求項１記載の消防隊等用空気呼吸器用ボンベ。
【請求項３】
前記空気呼吸器用ボンベの本体が、最内層にアルミ合金製ライナー（内筒）が配され、その外側側に樹脂含浸された炭素繊維層、さらにその外側側に樹脂含浸されたガラス繊維層が配されてなることを特徴とする請求項１または２記載の消防隊等用空気呼吸器用ボンベ。
【請求項４】
前記所属消防組織を表示しかつ他の容器ラベルと独立した標識が、少なくともその一部に蓄光発光する樹脂部分を有するものであることを特徴とする請求項１〜３のうちいずれか１項記載の消防隊等用空気呼吸器用ボンベ。
【請求項５】
前記所属消防組織を表示しかつ他の容器ラベルと独立した標識が、少なくともその一部に、屈折率１．５〜２．２で粒径１０〜２５０μｍの多数のガラスビーズ、反射材粒子および蓄光材を含有する再帰反射特性と蓄光特性を有する樹脂部分を有するものであることを特徴とする請求項１〜４のうちいずれか１項記載の消防隊等用空気呼吸器用ボンベ。
【発明の詳細な説明】
【技術分野】
【０００１】
本発明は、火災現場などで消火や救助にあたる消防隊員や救助隊員が消火活動、救助活動時に使用する空気呼吸器用ボンベに関する。
【背景技術】
【０００２】
ビル火災等の消火活動では、消防隊員は、酸素濃度が希薄になった建物内や有毒ガスが発生した建物の奥深くの火災現場まで侵入して消火活動に当たるため、空気呼吸器を背負って作業を行うようにしている。火災現場等で救助活動を行う救助隊員も、同様に、空気呼吸器を背負って救助活動を行う。
【０００３】
空気呼吸器は、消防隊員、救助隊員が、空気が充填されたボンベを背負い、必要時、その空気で呼吸を行い、一定の時間、消火活動、救助活動ができるようにされている。
【０００４】
ボンベは、一般に多層の構造からなり、例えば、代表的な構造例として、最も内側にアルミ合金製ライナー（内筒）が配され、その外側に、樹脂含浸された炭素繊維層、さらにその外側に樹脂含浸されたガラス繊維層を配して強化を行い、さらにその外側に透明な樹脂層が配されて構成されている。ボンベ内には、高圧で空気が充填されており、仕様（ボンベ容量）に応じて、通常、約０．５〜２時間の活動が可能なように構成されている。
【０００５】
こうした空気呼吸器では、停電したビル内などの暗い現場で消防隊員や救助隊員が活動することが多いために、隊員どおしの位置確認や識別のために蓄光塗料を一部に付着させてボンベを形成したり、あるいは、蓄光性を有する被覆材を脱着自在に装着する等の提案がされている（特許文献１−２）。組織的な活動をする上で、隊員どおしの位置確認や識別ができることが有効なためであり、背中に背負われるボンベに位置確認や識別の機能を付与することが効果的だからである。
【０００６】
一方、近時、大規模で広域にわたる災害などの際には、消防隊員、救助隊員が、本来、自らが所属する消防組織（消防本部、消防署、消防団など）の管轄を超えて、消火活動や救助活動を行うことがあり、そうした場合、複数の消防組織からの隊員、空気呼吸器が集まることとなり、現場での消火、救援活動をより組織的に行うために、活動する隊員の位置確認だけではなく、所属する消防組織の確認もできることが要されている。
【０００７】
消防組織単位での組織的な消火活動、救援活動を行うためや、ボンベを単体で見たとき等において使用の前・後に限らず、所属する消防組織が識別できることはボンベの管理のため、重要なことだからである。
【先行技術文献】
【特許文献】
【０００８】
【特許文献１】特開２０００−２０２０５０公報
【特許文献２】特開２０００−３１０３９４公報
【発明の概要】
【発明が解決しようとする課題】
【０００９】
本発明の目的は、上述したような点に鑑み、複数の消防組織の隊員、空気ボンベが集まるような状況でも、その空気ボンベが所属する消防組織（隊員が背負っている場合には、そのボンベの所属を知ることを通じてその隊員の所属する消防組織）を正確に早く知ることができ、かつ、その所属する消防組織を判断する判断材料が恒久的なものであり、該空気ボンベ自体の耐用年数レベル以内は、優にその判断材料を維持することができる消防隊用空気呼吸器用ボンベを提供することにある。
【課題を解決するための手段】
【００１０】
上述した目的を達成する本発明の消防隊等空気呼吸器用ボンベは、以下の（１）の構成を有する。
（１）空気呼吸器用ボンベの本体表面上に、所属消防組織を表示しかつ他の容器ラベルと独立した標識が貼付され、前記空気呼吸器用ボンベの本体、前記標識および他の容器ラベルの全体が透明樹脂の層により覆われてなることを特徴とする消防隊等用空気呼吸器用ボンベ。
【００１１】
また、かかる本発明の消防隊等用空気呼吸器用ボンベにおいて、好ましくは、以下の（２）〜（５）のいずれかの構成を有する。
（２）透明樹脂がエポキシ樹脂であることを特徴とする請求項１記載の消防隊等用空気呼吸器用ボンベ。
（３）前記空気呼吸器用ボンベの本体が、最内層にアルミ合金製ライナー（内筒）が配され、その外側側に、樹脂含浸された炭素繊維層、さらにその外周側に樹脂含浸されたガラス繊維層が配されて成ることを特徴とする上記（１）または（２）記載の消防隊等用空気呼吸器用ボンベ。
（４）前記所属消防組織を表示しかつ他の容器ラベルと独立した標識が、少なくともその一部に蓄光発光する樹脂部分を有するものであることを特徴とする上記（１）〜（３）のうちいずれか１記載の消防隊等用空気呼吸器用ボンベ。
（５）前記所属消防組織を表示しかつ他の容器ラベルと独立した標識が、少なくともその一部に、屈折率１．５〜２．２で粒径１０〜２５０μｍの多数のガラスビーズ、反射材粒子および蓄光材を含有する再帰反射特性と蓄光特性を有する樹脂部分を有するものであることを特徴とする上記（１）〜（４）のうちいずれか１項記載の消防隊等用空気呼吸器用ボンベ。
【発明の効果】
【００１２】
請求項１にかかる本発明によれば、複数の消防組織の隊員、空気ボンベが集まるような状況でも、その空気ボンベが所属する消防組織（隊員が背負っている場合には、そのボンベの所属を知ることを通じてその隊員の所属する消防組織）を正確に早く知ることができ、かつ、その所属する消防組織を判断する判断材料が恒久的なものであり、該空気ボンベ自体の耐用年数レベル以内は、優にその判断材料を維持することができる消防隊用空気呼吸器用ボンベが提供される。
【００１３】
請求項２にかかる本発明によれば、上記した請求項１にかかる本発明の効果を有するとともに、さらに、その所属する消防組織を判断する判断材料の耐久性、恒久性の上で一層優れた消防隊用空気呼吸器用ボンベが提供される。
【００１４】
請求項３にかかる本発明によれば、上記した請求項１にかかる本発明の効果を有するとともに、さらに、そのボンベ本体と消防隊用空気呼吸器用ボンベ全体の耐久性の上で一層優れた消防隊用空気呼吸器用ボンベが提供される。
【００１５】
請求項４にかかる本発明によれば、上記した請求項１にかかる本発明の効果を有するとともに、さらに暗い状況のときでも所属消防組織を表示する標識の視認性に優れた消防隊用空気呼吸器用ボンベが提供される。
【００１６】
請求項５にかかる本発明によれば、上記した請求項１にかかる本発明の効果を有するとともに、さらに暗い状況のときでも、上記した請求項４にかかる本発明の効果以上に、所属消防組織を表示する標識の視認性に優れた消防隊用空気呼吸器用ボンベが提供される。
【図面の簡単な説明】
【００１７】
【図１】本発明にかかる消防隊等用空気呼吸器用ボンベの一実施態様例を示す外観モデル図である。
【図２】本発明にかかる消防隊等用空気呼吸器用ボンベの一実施態様例を示すものであり、消防隊等用空気呼吸器用ボンベの所属消防組織を表示する標識が配された位置での該ボンベの横断面構造をモデル的に示した図１で示したＸ−Ｘ方向断面図である。
【図３】本発明にかかる消防隊等用空気呼吸器用ボンベにおいて、所属消防組織を表示する標識の一部を構成し得る蓄光発光する樹脂部分の構造の好ましい一態様例（積層転写例）をモデル的に示した要部断面図である。
【図４】本発明にかかる消防隊等用空気呼吸器用ボンベにおいて、所属消防組織を表示する標識の一部を構成し得る蓄光発光する樹脂部分の構造の他の好ましい一態様例（後述するオールインワンタイプの樹脂インクによるプリント例）をモデル的に示した要部断面図である。
【図５】入射光Ｅとその反射光Ｒの関係をモデル的に示し説明するものであり、同図（ａ）は再帰型反射について、（ｂ）は鏡面反射について説明したものである。
【発明を実施するための形態】
【００１８】
以下、更に詳しく本発明の消防隊等用空気呼吸器用ボンベについて、説明する。
【００１９】
図１、図２に示したように、本発明の消防隊等用空気呼吸器用ボンベ１は、空気呼吸器用ボンベの本体２の表面上に、所属消防組織を表示しかつ他の容器ラベル３と独立した標識４が貼付され、前記空気呼吸器用ボンベの本体２、前記標識４および他の容器ラベル３の全体が、透明樹脂の層５により覆われて形成されていることを特徴とする。６はボンベの空気出口であり、バルブ（図示せず）などが取り付けられる。
【００２０】
本発明において、消防隊等用空気呼吸器用ボンベとは、火災時、災害時などの消防隊あるいは救助隊用のものであって、一般に消防関係の組織（消防本部、消防署、消防団など）で使用される呼吸器用ボンベであることを意味している。したがって、潜水しての活動用やスキューバダイビング用のものは含まない概念である。
【００２１】
空気呼吸器用ボンベの本体２は、特に限定されるものではないが、代表的な構造例として、アルミ合金などの軽金属からなるライナー（内筒）７の外周側に、樹脂が含浸された炭素繊維からなる繊維強化樹脂層または／および樹脂が含浸されたガラス繊維からなる繊維強化樹脂層を配した構造のものが、強度が強くかつ軽量にできるので好ましい。軽量であることは、消防隊員、救助隊員の活動の自由度を増し、負担を軽減させる意味で重要なことである。
【００２２】
図２に示した態様例では、アルミ合金からなるライナー（内筒）７の外周側に樹脂が含浸された炭素繊維層８を配し、さらにその外周側に樹脂が含浸されたガラス繊維層９を配した態様例を示した。この態様のものは、全体に軽量にできて、かつ、炭素繊維強化樹脂を使用していることから強度が強いこと、また、ガラス繊維強化樹脂を使用していることから耐衝撃性、耐外傷性に優れているという特徴を有するものであり、現場で活動をする消防隊員等に背負われて使用される空気ボンベとして最適なものである。炭素繊維層やガラス繊維層に含浸される樹脂は、熱硬化性のエポキシ樹脂を用いるのが耐熱性、耐久性の点でよい。
【００２３】
上述した「軽金属からなるライナー（内筒）とその外周側に配された繊維強化樹脂層とからなる多層構造の筒状体」を、本発明では、説明の便宜上、「ボンベの本体」と呼ぶ。(すなわち、本発明では、透明樹脂の層５を、本体とは別の「本体を保護するため、本体を覆うもの」として位置づけて説明をするが、本発明の技術思想は、そのような各部の名称の付け方自体には拘泥されるものではなく、要は、図１や図２および本文で説明する多層の構成を呈する空気呼吸器用ボンベであって、本発明と同一の技術思想と効果を有するものであれば、本発明に該当することは留意すべきである。）
【００２４】
本発明では、このボンベの本体上に、所属消防組織を表示しかつ他の容器ラベル３と独立した標識４を貼付して、空気呼吸器用ボンベの本体２、標識４および他の容器ラベル３の全体を透明樹脂の層５により覆ってボンベを完成させるものである。
【００２５】
この透明樹脂の層５が、ボンベ全体としての耐外傷性、耐衝撃性を更に向上させ、同時に、該標識４と容器ラベル３を剥がれや、汚れ、高熱、外的衝撃などから保護して、該ボンベの耐用年数以内程度は、該標識４と容器ラベル３を保護し、本来のそれら標識４と容器ラベル３がそれぞれ有する機能を、新品時から継続して発揮できるようにするものである。
【００２６】
本発明において、所属消防組織を表示しかつ他の容器ラベル３と独立した標識４とは、例えば所属する消防組織（消防本部、消防署、消防団など）を表彰するマークと市町村名を表示した、例えば図１で例示したような外形輪郭線がエンブレム様を呈したシート状の形態をしたもの等をいう。図１に示した標識の例では、「澪標（みおつくし）のマーク」と、そのマークを市章に制定している「○○市」の文字が表示されている。つまり、○○市消防本部に所属するボンベであることが瞬時にわかるようにされているのである。
【００２７】
このように、標識４をボンベに貼付していることにより、複数の組織の消防隊員が付近で活動しているときであっても、消防隊員の所属組織がわかり、組織的な活動に資することとなり有意義なものである。
【００２８】
標識４は、ボンベを背負ったときに真後ろ側に向いて位置するように１枚が貼付されていることでもよいが、さらに、複数の標識４を用いるようにして、左右の側面に貼付するようにしてもよい。
【００２９】
標識４は、容器ラベル３とは表示していることの内容、趣旨が相違しているため、容器ラベル３とは、互いに独立したものとして、視覚的に認識されやすい形で設けることがよい。ちなみに、容器ラベル３に記載されている情報は、容器（ボンベ）製造者の符号、輸入品であれば輸入業者の符号、充填ガス名（空気）、容器の固有の記号および番号、内容積、質量、製造年月、縦圧試験圧力等、最高充填圧力、ライナー材料などである。
【００３０】
標識４の外形輪郭は、図１で例示したエンブレム（紋章）様のものに限られず、視覚的により効果的に表彰できるようなものであれば、他の外形輪郭線を有するものでもよい。
【００３１】
該標識４は、容器ラベル３と同様に透明樹脂の層５で覆われているため、容器ラベル３と同様なレベルで外傷や汚れを受けること、剥がれなどから効果的に保護されるものである。また、透明樹脂の層５の表面が多少汚れたりしても、ボンベ表面を拭いたり、水洗して、該透明樹脂の層５の表面の汚れを落とすことにより、特別な支障なく、再び使用を継続していくことができる。
【００３２】
透明樹脂は、熱硬化性のエポキシ樹脂を用いることが、耐熱性、耐久性の点で好ましい。該透明樹脂の層の形成は、コーティング法、ディッピング法等により、ボンベ本体に被覆をする方法、あるいは、フィルムシートとして形成して後にボンベ本体に被覆する方法などのいずれでもよい。
【００３３】
また、所属消防組織を表示しかつ他の容器ラベルと独立した標識４は、少なくともその一部に蓄光発光する樹脂部分を有するようにして構成することが好ましい。暗い場所での視認性が非常に向上するので、本発明の効果をさらに大きく発揮させ得るからである。
【００３４】
また、蓄光発光する機能と反射発光する機能の両者を兼ね備えた樹脂部分を有するようにして構成してもよい。例えば、特開２００９−１５１２１３号公報に記載されている再帰反射特性と蓄光特性を併せ持った発光部を構成できる樹脂層で、標識４の少なくとも一部を構成するようにしてもよい。具体的には、屈折率１．５〜２．２で粒径１０〜２５０μｍの多数のガラスビーズ、蓄光材粒子および反射材粒子を含有するとともに、該ガラスビーズが表層寄りに多く偏在し、蓄光材が内層寄りに多く偏在している構造を有することにより再帰反射特性と蓄光特性を併せ持つ発光部を成している樹脂層を使用して、標識４の少なくとも一部を構成するようにしてもよい。
【００３５】
特に、本発明によれば、標識４の表面側が透明樹脂の層５で被覆されて保護されているので、粒径１０〜２５０μｍの多数のガラスビーズがその表面寄りに配置されている前述した樹脂層等を使用しても、その機能が損なわれることがほとんどないので、本発明のボンベに非常に効果的に使用できるのである。
【００３６】
図３、図４は、いずれも、本発明にかかる消防隊等用空気呼吸器用ボンベにおいて、その所属消防組織を表示する標識１５の一部を構成する再帰反射特性と蓄光特性を併せ持つ発光部を成す樹脂層部分１６の構造の好ましい一態様例をモデル的に示した要部断面図である。
【００３７】
更に詳細に説明をすると、本発明にかかる消防隊等用空気呼吸器用ボンベは、標識１５の構成を、特に図３、図４に示したような、再帰反射特性と蓄光特性を併せ持つ発光部を成す樹脂層部分を有する構成とすると、該標識１５をなす樹脂の層１６が再帰型の反射特性と蓄光性の両特性を併せ持つものとして構成され、消防士が暗い中でライトなどで照らすと、その反射光がその消防士の方に直接的に帰ってくるものであり、そのことから、標識１５の存在とその形状を迅速に正確に視認できるものである。
【００３８】
また、蓄光材の存在により、ライトなどによる光の照射が終わったとき、あるいは光の照射方向がズレて変わったとき等でも、標識１５がしばらくの間は蓄光発光を続けるので、わかりやすいものとなる。
【００３９】
ここで、再帰型の反射とは、図５（ａ）に、ガラスビーズ１７の列と入射光Ｅとその反射光Ｒの関係をモデル的に示したように、入射してきた方向とほぼ同一の方向に光が反射する性質の反射をいい、正面位置あるいは斜め位置からであっても、消防士が該消防隊等用空気呼吸器用ボンベに光を照射すると、明るい直接的な反射光としてその消防士に認識でき、該ボンベの標識１５に与されている所属組織の情報をより即座にかつ確実に認識できることになる。
【００４０】
この再帰型の反射は、ガラスビーズのような反射材が持つ光学的特性であるが、特に、特定の屈折率の範囲（屈折率が１．５〜２．２）と特定の粒径の範囲（粒径が１０〜２５０μｍ）のガラスビーズを使用することにより、視認性に特に優れた再帰型反射の効果を得ることができるので好ましい。特に、屈折率のさらに好ましい範囲は１．８〜２．１であり、ガラスビーズの径のさらに好ましい範囲は５０〜２５０μｍ、さらに最も好ましい範囲は５０〜１２０μｍである。
【００４１】
なお、図５（ｂ）は、鏡面反射での入射光Ｅとその反射光Ｒの方向を示したモデル図であり、このような反射（鏡面反射）では、看者が斜め位置から該ボンベ上の標識に光を照射することになる場合、該反射光ではそのボンベに示されている情報を、消防士に即座にかつ確実に認識させるという点では劣るものである。
【００４２】
なおまた、図５（ａ）、（ｂ）において、Ｂはベース（基体、支持体）を示しているが、このベースＢに色素を含ませている場合には、該色素の色が反射光Ｒの色として視認されることとなり、該色によっても視認性を更に向上し得るものである。色素は、顔料または染料、あるいはその両方が使用され、再帰反射光に有彩色（赤、青、黄色など）の色を付けて目立たせて視認性を一層向上させることができる。
【００４３】
本発明のボンベの好ましい態様においては、特に、樹脂の層１６の表層寄りにガラスビーズ１７が多く偏在するようにする。ガラスビーズ１７が樹脂の層１６に担持されて表層寄りに多く偏在することにより、図５（ａ）にモデル的に示した再帰型反射がより効果的に実現される。
【００４４】
ガラスビーズ１７は、無色透明なものあるいは淡い有色の透明なものを使用することが好ましく、そのようにすることによって、樹脂の層１６の色あるいは入射光の色をピュアに呈したものとしてその反射光が視認されることとなる。樹脂の層１６には、所望に応じて顔料もしくは染料の色素を含有させてよく、該樹脂の層１６は、マトリックスとしては代表的には色素と無色透明な樹脂成分からなるものであることが好ましい。
【００４５】
そして、上述の好ましい態様の本発明の空気呼吸器用ボンベは、好ましくは再帰型反射特性を有する一方で、樹脂の層１６は蓄光材１８の粒子を、好ましくは必須のものとして含有しているのであり、ライトが完全に照射されていない暗い状況などでも、その蓄光特性によって光を放つこととなり、消防士の視認ができることとなる。
【００４６】
ここで、蓄光機能とは、太陽光・蛍光灯などの光のエネルギーを吸収し、その蓄えたエネルギーを可視光線に変換することで光を放出する機能をいい、従来から蓄光塗料として知られているものなどを使用すればよい。すなわち、硫化物系のもの（例えば、化学組成がＺｎＳ：Ｃｕのもの）や酸化物系のもの（例えば、化学組成がＳｒＡｌ２Ｏ４：Ｅｕ，Ｄｙのもの）等を使用することができるが、放出する光の量（残光輝度）と残光時間をより大きくできる点や耐熱性・耐久性の点で、酸化物系のものを使用することが好ましい。また、蓄光材は、粒子状のものとして使用することが残光輝度、残光時間を大きくできる点で好ましく、その平均粒子径は、０．５〜２００μｍのものを使用するのが好ましく、さらに好ましくは５〜１００μｍ、最も好ましくは１０〜６０μｍのものを使用することである。
【００４７】
この蓄光材が存在することにより、そして、好ましくは、ガラスビーズや樹脂層が透明なもの（無色あるいは淡色の有色）で構成されていることから、特にそれらの存在により発光輝度が低下するなどの害を受けることなく、蓄光特性を良好に発揮することができる。
【００４８】
本発明において、図３、図４に示した１９は、光の反射材（ガラスビーズとは異なるもの）であり、光をより強く反射させる機能を積極的に持たせるために、そのような反射材粒子（反射鏡）を含有させているものである。例えば、該反射材１９としては、アルミニウム粒子や、天然あるいは人工の雲母粒子などが該当し、代表的にはこれら粒子を用いることができる。なお、該雲母粒子は、一般に半透明なもので、光を半ば透過させるので酸化チタンなどをコーティングして白色反射面を呈するようにして用いることが反射光の色を鮮明なものにする上で好ましい。雲母粒子は、一般に薄板状の粒子であり、本発明においては、天然品あるいは人工合成品のいずれでも使用できる。雲母粒子は、層状構造を形成し、しかも、一部の光を反射して一部の光を透過させるために、光の多重層反射を起こさせることができる。透過した光も、下側の反射材（雲母など）で反射されることとなり、中でも、特に色素が存在する場合には、該色素を介して反射されることとなり、再帰反射光としての光量、色の強さ・鮮明さの向上効果に寄与するものである。
【００４９】
反射材粒子（雲母粒子など）は、平均粒子径（平均長径）が０．１〜１００μｍ程度のもの、より好ましくは１〜５０μｍ、さらに好ましくは５〜２５μｍ程度のものを用いることであり、一般に、ガラスビーズの粒径よりも小さい径のものを用いれば、ガラスビーズの間を透過してくる光を反射する層として作用することができて好ましい。
【００５０】
また、樹脂の層１６に色素を含有させて構成する場合、該色素（顔料、染料）の粒子径は、極力小さいものとすべきであり、好ましくは０．０１〜１０μｍ程度、より好ましくは０．１〜１μｍ程度のものを使用するのがよい。色素の粒子径が０．０１μｍよりも小さい場合には、一般に高価格となり望ましくなく、また、１０μｍよりも大きい場合には、該色素が、反射材粒子ないしは透過性反射材粒子としての雲母粒子などよりも大きいものである率が高くなり、その結果、該反射材や該透過性反射材粒子（雲母粒子）まで到達する光を遮る率が高くなり、反射光量を低下させることになるので好ましくない。
【００５１】
樹脂の層１６は、メジウムやベース樹脂（分散媒樹脂）を用いる場合、発光や発色に影響を与えない透明なもので、かつ耐熱性のあるもの、いわゆる透明インク樹脂などを用いるのがよい。該樹脂は、有機系のものや無機系のものなど、さらに水系や油性のもの等を使用できるが、扱いのしやすさなどからアクリル系樹脂、ウレタン系樹脂、ナイロン系樹脂あるいはポリエステル系樹脂などを使用するのが好ましい。
【００５２】
ガラスビーズ１７が表面寄りに多く偏在している樹脂の層１６を有する本発明の好ましい態様の消防用ホースを製造するには、特に限定されるものではないが、代表的には、例えば、以下の（Ａ）、（Ｂ）、（Ｃ）のうちのいずれかの方法によって製造できる。
【００５３】
（Ａ）転写シート方式：
転写シート方式による場合は、以下の（１）〜（５）の順に加工をして製造することができる。
（１）ガラスビーズ１７を一面に敷き詰めたビーズ１６のシート上に、蓄光インクで印刷またはコーティングして蓄光材１８を含んだ蓄光樹脂層を設ける。
（２）さらに、その上から反射材１９と白顔料を含む樹脂インクで印刷またはコーティングして反射層を設ける。
（３）次に、反射材層の上に、ホットメルト接着樹脂層２０を印刷またはコーティングして転写シートを完成させる。
（４）この転写シートを基材１４に重ね、熱プレスするとホットメルト樹脂層と基材１４が接着する。
（５）十分に冷えてから、ビーズシートのベースフィルムを剥がし、代表的には、図２に示したような積層構造を有する本発明にかかる標識を製造することができる。
【００５４】
このようにして転写して形成された標識においては、その樹脂の層１６の表面にガラスビーズ１７が一面にあるので、良好に再帰反射をする。そして、ガラスビーズ１７は透明なので、その内側に位置する蓄光材１８が発光するとその光はガラスビーズ１７を通過し、外側から視認されるのである。一方で、蓄光材１８を含んだ透明樹脂は遮蔽性がない。このため、さらにその内側に反射材１９と白色顔料（白色顔料がコーティングされた反射材）を入れ、遮蔽性を備えた反射材層１９を設けるのである。このような構成にすることにより、ボンベ本体の色に左右されることなく蓄光や反射光が得られる。
【００５５】
蓄光樹脂層１８は遮蔽力がなく、光を一部通過させるので、通過した光は反射層１９に到達し光をはね返すことができるため、より強く再帰反射する仕組みとなっているのである。
【００５６】
また、印刷方式の場合には、スクリーン印刷法などを採用できるが、以下の（Ｂ）法または（Ｃ）法により製造することができる。
【００５７】
（Ｂ）ガラスビーズ、蓄光材および反射材、場合により色素のすべてを含む樹脂インク（本発明では説明の便宜上、このような樹脂インクを「オールインワンタイプ」の樹脂インクと呼ぶ）を用いる場合：
流動性があるオールインワンタイプの樹脂インクで印刷し、反射機能と蓄光機能の両方を効率良く発現させるために、該樹脂インクを構成する各材料の粒子径を、以下のようにコントロールしてインクを作成する。
【００５８】
すなわち、例えば、ビーカーの中に大きい粒と小さい粒を入れて混合したとき、一応、均一に混ざるが、ビーカーに振動を与えてトントントンと叩くと、次第に粒子の大きいものは上に、小さいものは下に分布するようになるが、印刷樹脂インクでも同じようなことを起こさせることができ、ガラスビーズ１７が一番上に、その次に蓄光材１８、そしてその下に反射材１９、さらに色素（染料・顔料）と層状構造を構成するように粒子の平均径の相互関係（さらに、必要に応じて比重の相互関係）を調整・設定することにより、代表的には、図４に示したような多層状構造を有し、反射・蓄光の両機能を持つ印刷物を製造することができる。
【００５９】
このような層状構造を形成する上で、使用される各粒子のそれぞれの平均粒子径は、ガラスビーズは１０〜２５０μｍの範囲のものを使用すること、好ましくは５０〜２５０μｍ、最も好ましくは５０〜１２０μｍの範囲のものを使用することである。蓄光材は平均粒子径で０．５〜２００μｍのものを使用することが好ましく、より好ましくは５〜１０μｍ、最も好ましくは１０〜６０μｍのものを使用することである。反射材は平均粒子径で０．１〜１００μｍのものを使用することが好ましく、より好ましくは１〜５０μｍ、最も好ましくは５〜２５μｍのものを使用することである。
【００６０】
そして、そのような範囲の中で、粒径の大小の相互の関係は、ガラスビーズの平均粒子径は蓄光材のそれよりも大きく、また蓄光材の平均粒子径は反射材のそれよりも大きいものを用いることが、蓄光材の層、反射材の層を明瞭に形成できて、蓄光性能と再帰反射性能の両者を良好に保有させることができる点で好ましく、具体的には、ガラスビーズの平均粒径が蓄光材の平均粒子径の２〜５倍であり、蓄光材の平均粒子径が反射材の平均粒子径の２〜５倍であることが、確実に積層状に分離した層を形成させ得る点で好ましい。このそれぞれの差が２倍未満であれば、明確な積層状の構造ができにくい方向であり、また５倍を超える場合には、表面がざらつきが生じたり、風合いが硬く重くなり、またそれぞれの粒子が脱落しやすくなる方向であり好ましくない。また、色素は、反射材よりもさらに小さいものを用いることが好ましいが、一般に色素の粒子は非常に小さいのでその点では問題は少ない。
【００６１】
（Ｃ）多段印刷法による反射・蓄光機能を出現させるための樹脂インクの場合：
標識の基材に直接多段印刷するには、まず標識の基材に遮蔽層を印刷する。遮蔽層はボンベ本体が着色しているとき、その色が表面から見えないようにするためで、反射材１９と白色顔料を含む樹脂インクで印刷をすればよいものである。次に、蓄光材１７を含む樹脂インクで印刷する。この樹脂インクには、反射材（層中において、より下方に位置させるために、蓄光材よりも粒径が小さい反射材）を入れてもよい。
【００６２】
その後、ガラスビーズ１７を含む透明樹脂インクで印刷する。このようにして多段印刷して形成された消防用ホースは、反射と蓄光の両機能を備えたものとなる。
【００６３】
以上のように、本発明のボンベに採用され得る標識を製造するには、各種方法があるが、特に、多段印刷／転写方式、多段印刷方式による場合は、ガラスビーズ１７が整然と一列に担持されている状態を形成しやすいものであり、再帰反射効果を高くかつ安定して発揮できる樹脂の層１６を有する標識１５を製造できる。
【００６４】
オールインワンタイプの樹脂インクを使ったプリント方式で製造する場合には、ガラスビーズ１７が多少凹凸を呈して並んで存在する樹脂の層１６を有する標識となり、再帰反射特性は多少劣る方向であるが、本発明者らの各種知見によれば実用に問題ないほど十分に高いものであり、また、他の方式よりも標識の厚さを全体に薄くでき（つまり、軽くでき）、かつ製造法として工程が簡易である分、優れている。特に、標識１５を、優れた視認性を実現してかつ薄く軽くできることは、本発明の空気呼吸器用ボンベに用いる標識を構成する上で最適なものであり、その上、透明樹脂の層５で該標識１５が覆われているので、ガラスビーズ１７の落下という問題もなく、本発明の効果を、十分な長期間にわたり高いレベルで維持することができる点で非常に優れているのである。
【符号の説明】
【００６５】
１：空気呼吸器用ボンベ
２：ボンベの本体
３：容器ラベル
４：所属消防組織を表示しかつ他の容器ラベルと独立した標識
５：透明樹脂の層
６：ボンベ口部
７：アルミ合金製ライナー（内筒）
８：樹脂含浸された炭素繊維層
９：樹脂含浸されたガラス繊維層
１５：標識
１６：樹脂の層
１７：ガラスビーズ
１８：蓄光材
１９：反射材
２０：接着剤層（ホットメルト接着剤層）
Ｅ：入射光
Ｒ：反射光
【図１】
2014076197.tif 000003
【図２】
2014076197.tif 000004
【図３】
2014076197.tif 000005
【図４】
2014076197.tif 000006
【図５】
2014076197.tif 000007